(57)【要約】【課題】可動接点の接触許容範囲を大きくすることができるキースイッチのキーパターンを提供する。【解決手段】プリント基板上に２つの接点パターン６１、６２を交わることなく組み合わせて配置し、これら２つの接点パターン６１、６２を可動接点を介して短絡させるように構成したキースイッチにおいて、２つの接点パターン６１、６２を構成する切片６１ａ、６１ｂおよび切片６２ａ、６２ｂを所定の間隔ａをなす隙間６３を置いて平行かつ交互に配置すると共に、切片６１ｂおよび切片６２ｂのパターン幅ｄを隙間６３の間隔ａよりも広く形成する。【選択図】        図１
2005019030.tif 000002
【特許請求の範囲】
【請求項１】
プリント基板上に２つの接点パターンを交わることなく組み合わせて配置し、これら２つの接点パターンを可動接点を介して短絡させるように構成したキースイッチにおいて、
２つの接点パターンを構成する切片を所定の間隔をなす隙間を置いて平行かつ交互に配置すると共に、この切片のパターン幅を上記隙間の間隔よりも広く形成したことを特徴とするキースイッチのキーパターン。
【請求項２】
上記２つの接点パターンは、中央に配置した切片のパターン幅を上記隙間の間隔よりも広く形成したことを特徴とする請求項１記載のキースイッチのキーパターン。
【請求項３】
上記２つの接点パターンは、中央に配置した切片のパターン幅を可動接点の接触位置の縁端部に配置した切片のパターン幅よりも広く形成したことを特徴とする請求項１又は２記載のキースイッチのキーパターン。
【請求項４】
上記可動接点の接触範囲と上記接点パターンの幅および隙間の間隔との関係は、
（可動接点の接触範囲）＞（接点パターンのパターン幅）＋（隙間の間隔×２）
ただし、（接点パターンの幅）＞（隙間の間隔）
として構成したことを特徴とする請求項１から３のいずれか一項記載のキースイッチのキーパターン。
【請求項５】
プリント基板上に２つの接点パターンを交わることなく組み合わせて配置し、これら２つの接点パターンを可動接点を介して短絡させるように構成したキースイッチにおいて、
２つの接点パターンを構成するパターン幅の等しい切片を所定の間隔をなす隙間を置いて並行にかつ交互に配置すると共に、中央に設けた隙間の間隔を上記パターン幅よりも広く形成したことを特徴とするキースイッチのキーパターン。
【発明の詳細な説明】
【０００１】
【発明の属する技術分野】
本発明は、情報処理装置等に用いられるキースイッチに関し、特に、キースイッチのプリント基板に設けられたキーパターンに関する。
【０００２】
【従来の技術】
従来、この種のキーパターンを備えたキースイッチには、図３に示すように構成したものがある。図３は、キーパターンを備えたキースイッチの縦断面図である。この図３において、キースイッチ１は、ゴムあるいは樹脂からなるキートップ２と、そのキートップ２の下面に配置され、このキートップ２の押し下げに追従して下方向に移動する可動接点３と、プリント基板４上に交わることなく組み合わせて配置した２つの接点パターンからなるキーパターン５とを備えている。
【０００３】
上記キートップ２は、プリント基板４上に固定される基部２１と、弾性部２２と、押圧部２３とからなり、これらがゴムあるいは樹脂により一体的に構成されている。また、可動接点３とキーパターン５とは、対向位置に配置され、キートップ２の押圧部２３を弾性部２２の弾発力に抗して押し下げることにより、可動接点３がキーパターン５へ接触し、キーパターン５の２つの接点パターンを短絡させるように構成している。
【０００４】
上記のように構成したキーパターン５のパターン形状としては、例えば、線対称あるいは点対称の形状に形成すると共に、可動接点の縁端部における接触範囲が接点パターンの複数の切片にわたるように形成し、キートップの端押しや角押し操作が行なわれた場合においても、接点パターンの短絡、すなわち、キー入力動作を確実に行なうことができるようにした構成が開示されている。
（例えば、特許文献１参照）
【０００５】
また、キーパターン５のパターン形状としては、例えば、図４（ａ）に示すようなコ字状の２つの接点パターン５１、５２を交わることなく組み合わせて配置させたものがある。この図４（ａ）に示す一方の接点パターン５１は、平行に形成したパターン幅ａからなる２つの切片５１ａと、この２つの切片５１ａの一端をそれぞれ接続した接続部５１ｂとを備えている。また、他方の接点パターン５２は、平行に形成したパターン幅ａからなる２つの切片５２ａと、この２つの切片５２ａの一端をそれぞれ接続した接続部５２ｂとを備えている。この２つの接点パターン５１、５２は、切片５１ａおよび切片５２ａのパターン幅ａと同じ間隔ａを有する隙間５３を介してかみ合った状態で配置している。
【０００６】
また、接点パターン５１の切片５１ａと接点パターン５２の切片５２ａは、可動接点３の接触範囲φｂ内で交互に組み合わせているため、これら切片５１ａと切片５２ａへ可動接点３を接触させることで、接点パターン５１と接点パターン５２を短絡するように構成している。
【０００７】
この場合、図３に示すキートップ２の角度が最も傾くように押された時は、図４（ｂ）に示すように、接点パターン５１、５２上の可動接点３の接触許容範囲ｃは、次のようになる。
接触許容範囲ｃ＝（接点パターン５１、５２のパターン幅ａ）＋（隙間の間隔ａ／２）＋（可動接点３の接触範囲φｂ／２）
【０００８】
【特許文献１】
特開２００１−２１０１７９号公報（第１頁−５頁、第１図）
【０００９】
【発明が解決しようとする課題】
図４（ａ）および図４（ｂ）に示す従来のキーパターン５の接点パターン５１、５２は、その接点パターン５１、５２を構成する切片５１ａと切片５２ａのパターン幅ａが同じで、平行かつ隣り合って形成されているため、キートップ２の角度が最も傾くように押された場合などにおいて、可動接点３は、２つの接点パターン５１、５２の接触許容量を超えて接点ズレを生じ、接点パターン５１あるいは５２の一部分しか接触しないことによる接触不良を発生するという問題点があった。
【００１０】
本発明は、このような従来のキースイッチにおけるキーパターンの問題点を解決するものであり、可動接点の接触許容範囲を大きくすることができるキースイッチのキーパターンを提供することを目的としている。
【００１１】
【課題を解決するための手段】
上記の目的を達成するために、本発明のキースイッチのキーパターンにおいては、プリント基板上に２つの接点パターンを交わることなく組み合わせて配置し、これら２つの接点パターンを可動接点を介して短絡させるように構成したキースイッチにおいて、２つの接点パターンを構成する切片を所定の間隔をなす隙間を置いて平行かつ交互に配置すると共に、この切片のパターン幅を上記隙間の間隔よりも広く形成したものである。
【００１２】
また、上記２つの接点パターンは、中央に配置した切片のパターン幅を上記隙間の間隔よりも広く形成することが効果的である。
【００１３】
また、上記２つの接点パターンは、中央に配置した切片のパターン幅を可動接点の接触位置の縁端部に配置した切片のパターン幅よりも広く形成することが好ましい。
【００１４】
さらに、上記可動接点の接触範囲と上記接点パターンの幅および隙間の間隔との関係は、
（可動接点の接触範囲）＞（接点パターンのパターン幅）＋（隙間の間隔×２）
ただし、（接点パターンの幅）＞（隙間の間隔）
として構成したものである。
【００１５】
また、プリント基板上に２つの接点パターンを交わることなく組み合わせて配置し、これら２つの接点パターンを可動接点を介して短絡させるように構成したキースイッチにおいて、２つの接点パターンを構成するパターン幅の等しい切片を所定の間隔をなす隙間を置いて並行にかつ交互に配置すると共に、中央に設けた隙間の間隔を上記パターン幅よりも広く形成することも効果的である。
【００１６】
【発明の実施の形態】
発明の実施の形態を実施例にもとづき図面を参照して説明する。
図１（ａ）および（ｂ）は、本発明の第１の実施の形態を示すキースイッチにおけるキーパターンの構成図である。
この図１（ａ）および（ｂ）に示す本発明の第１の実施の形態の特長とするところは、２つの接点パターン６１，６２を構成する切片６１ａ、６１ｂおよび切片６２ａ、６２ｂの内、中央に配置した切片６１ｂ、６２ｂのパターン幅ｄを隙間の間隔ａよりも広く形成したことにある。
【００１７】
図１（ａ）および（ｂ）において、キーパターン６は、２つのコ字状の接点パターン６１および６２を交わることなく組み合わせて配置している。この２つの接点パターン６１、６２の内、一方の接点パターン６１は、平行な２つの切片６１ａと切片６１ｂとを備え、その一側に形成した接続部６１ｃにより接続されている。
【００１８】
また、この２つの切片６１ａと切片６１ｂの内、中央（内側）に配置された切片６１ｂは、外側に配置された切片６１ａのパターン幅よりも広いパターン幅ｄで形成している。さらに、この切片６１ｂのパターン幅ｄは、隙間６３の間隔ａよりも広く形成している。
【００１９】
他方の接点パターン６２は、上記接点パターン６１と同様に、平行な２つの切片６２ａと切片６２ｂとを備え、その一側に形成した接続部６２ｃにより接続されている。また、この２つの切片６２ａと切片６２ｂの内、中央（内側）に配置された切片６２ｂは、外側に配置された切片６２ａのパターン幅よりも広いパターン幅ｄで形成している。さらに、この切片６２ｂのパターン幅ｄは、隙間６３の間隔ａよりも広く形成している。この結果、両外側に配置された２つの切片６１ａと切片６２ａは、中央（内側）に配置された切片６１ｂおよび切片６２ｂよりもパターン幅が狭く形成されている。
【００２０】
したがって、中央（内側）に配置された広いパターン幅ｄを有する２つの切片６１ｂと切片６２ｂは、可動接点（図示しない）の接触範囲φｂの中心部分に位置し、外側の２つの切片６１ａと切片６２ａは、可動接点の接触許容範囲の縁端部側に位置するように形成されている。
【００２１】
さらに、この図１（ａ）および（ｂ）に示す実施例における可動接点の接触範囲φｂと切片６１ｂおよび切片６２ｂのパターン幅ｄ並びに隙間６３の間隔ａとの関係は、
（可動接点の接触範囲φｂ）＞（切片６１ｂ、６２ｂのパターン幅ｄ）＋（隙間６３の間隔ａ×２）
ただし、（切片６１ｂ、６２ｂのパターン幅ｄ）＞（隙間６３の間隔ａ）
の条件を満足するように構成している。
【００２２】
以上のように構成されたキーパターンを備えたキースイッチにおいて、キートップの角度が最も傾くように押された場合、図１（ｂ）に示すように、キーパターン上の可動接点の接触許容範囲ｅは、
接触許容範囲ｅ＝（切片６１ｂ、６２ｂのパターン幅ｄ）＋（隙間６３の間隔ａ／２）＋（可動接点の接触範囲φｂ／２）となり、隙間６３の間隔ａよりも接点パターン６１、６２における切片６１ｂおよび切片６２ｂのパターン幅ｄを広く形成することにより、図４（ｂ）に示す従来の可動接点の接触許容範囲ｃよりも接触許容範囲ｅを大きくすることができる。この結果、本実施例のキーパターンでは、キートップが最も傾くように押された場合においても、可動接点によって、接点パターン６１と接点パターン６２とを確実に短絡させることができる。
【００２３】
次に、本発明の第２の実施の形態を、図２（ａ）および（ｂ）に示すキースイッチにおけるキーパターンの構成図にもとづき説明する。
この図２（ａ）および（ｂ）に示す本発明の第２の実施の形態の特長とするところは、上記第１の実施の形態においては、中央に配置した接点パターン６１ｂ、６２ｂのパターン幅ｄを隙間６３の間隔ａよりも広く形成したものであるのに対し、第２の実施の形態においては、隙間７３の中央部分の間隔ｆを接点パターン７１ｂ、７２ｂのパターン幅ａよりも広く形成したことにある。
【００２４】
図２（ａ）および（ｂ）において、キーパターン７は、２つのコ字状の接点パターン７１および７２を交わることなく組み合わせて配置している。この２つの接点パターン７１、７２の内、一方の接点パターン７１は、平行な２つの切片７１ａと切片７１ｂとを備え、その一側に形成した接続部７１ｃにより接続されている。
【００２５】
他方の接点パターン７２は、上記接点パターン７１と同様に、平行な２つの切片７２ａと切片７２ｂとを備え、その一側に形成された接続部７２ｃにより接続されている。
【００２６】
また、中央（内側）に配置されたパターン幅ａを有する２つの切片７１ｂと切片７２ｂは、可動接点（図示しない）の接触範囲φｂの中心部分に位置し、外側の２つの切片７１ａと切片７２ａは、可動接点の接触許容範囲の縁端部側に位置するように形成している。さらに、中央に配置した切片７１ｂと切片７２ｂとの隙間７３の間隔ｆは、切片７１ｂと切片７２ｂのパターン幅ａよりも広く形成している。また、切片７１ａと切片７２ｂとの隙間７３の間隔ａと、切片７２ａと切片７１ｂとの隙間７３の間隔ａは、中央部分の間隔ｆよりも狭くかつパターン幅ａと等しい間隔で形成している。
【００２７】
以上のように構成されたキーパターンを備えたキースイッチにおいて、キートップの角度が最も傾くように押された場合、図２（ｂ）に示すように、キーパターン上の可動接点の接触許容範囲ｇは、
接触許容範囲ｇ＝（切片７１ａ、７２ａのパターン幅ａ）＋（隙間７３の中央部分の間隔ｆ／２）＋（可動接点の接触範囲φｂ／２）となり、隙間７３の中央部分の間隔ｆを接点パターン７１、７２のパターン幅ａよりも広く形成することにより、図４（ｂ）に示す従来の可動接点の接触許容範囲ｃよりも接触許容範囲ｇを大きくすることができ、図４（ｂ）の従来例の場合よりも接触許容範囲を改善することができる。この結果、本実施例のキーパターンでは、キートップが最も傾くように押された場合においても、可動接点によって、接点パターン７１と接点パターン７２とを確実に短絡させることができる。
【００２８】
【発明の効果】
本発明は、以上説明したように構成されているので、可動接点の接触許容範囲を大きくすることができ、キートップの角度が最も傾くように押された場合においても、可動接点による２つの接点パターン間の短絡を確実に行なうことができる。
【図面の簡単な説明】
【図１】本発明に係るキースイッチのキーパターンにおける第１の実施の形態を示す構成図である。
【図２】本発明に係るキースイッチのキーパターンにおける第２の実施の形態を示す構成図である。
【図３】従来のキースイッチの構成を示す縦断面図である。
【図４】従来のキースイッチにおけるキーパターンを示す構成図である。
【符号の説明】
１        キースイッチ
２        キートップ
２１      基部
２２      弾性部
２３      押圧部
３        可動接点
４        プリント基板
５、６、７    キーパターン
６１      接点パターン
６１ａ、６１ｂ      切片
６１ｃ    接続部
６２      接点パターン
６２ａ、６２ｂ      切片
６２ｃ    接続部
６３      隙間
７１      接点パターン
７１ａ、７１ｂ      切片
７１ｃ    接続部
７２      接点パターン
７２ａ、７２ｂ      切片
７２ｃ    接続部
７３      隙間
ａ        パターン幅および間隔
φｂ      接触範囲
ｃ、ｅ、ｇ        接触許容範囲
ｄ      パターン幅
ｆ      間隔
【図１】
2005019030.tif 000003
【図２】
2005019030.tif 000004
【図３】
2005019030.tif 000005
【図４】
2005019030.tif 000006